(57)【要約】【課題】首輪に引き紐を付けずにペットを放している時でも、首輪に引き紐を付けて散歩する際にも、装飾体がペットの胸元に位置するような意匠性に富んだ首輪を提供する。【解決手段】首輪本体（１）に装飾体（１０）が取り付けられたペット用首輪であって、装飾体取り付け部（３）の近傍に錘体（２）が配されている。【選択図】　　図１
0003099981.tif 000002
【実用新案登録請求の範囲】
【請求項１】
首輪本体に装飾体が取り付けられたペット用首輪であって、
装飾体取り付け部の近傍に錘体が配されていることを特徴とするペット用首輪。
【請求項２】
引き紐を係止するＤ環から離れた位置に錘体が取り付けられており、首輪のＤ環取り付け箇所と該錘体の重心との間隔は、首輪使用時の首輪円周長の１／３以上であることを特徴とする請求項１記載のペット用首輪。
【請求項３】
装飾体は装飾体取り付け部に着脱可能に係止されていることを特徴とする請求項１又は請求項２記載のペット用首輪。
【請求項４】
装飾体の取り付け位置が変更可能であることを特徴とする請求項１，請求項２又は請求項３記載のペット用首輪。
【請求項５】
錘体はプレート状であることを特徴とする請求項１〜請求項４のいずれかの請求項に記載のペット用首輪。
【請求項６】
錘体を首輪本体に固定する取付具はリング状部を有し、該リング状部が装飾体取り付け部となっていることを特徴とする請求項１〜請求項５のいずれかの請求項に記載のペット用首輪。
【考案の詳細な説明】
【０００１】
【考案の属する技術分野】
本考案は犬，猫，フェレット等のペット用の首輪に関するものであり、特に装飾性に優れたものに関する。
【０００２】
【従来の技術】
ペットの首輪は主として散歩の際に「引き紐（リード）」や「鎖」を取り付けるために用いられる。又、鑑札や注射済票などを取り付けるのにも用いられる。更には、野良犬や野良猫ではなく飼い主がいることを示す表示にもなる。
【０００３】
図６は一般的なペット用の首輪を示した図であり、皮や合成皮革等からなるベルト状の首輪本体（１）に、首輪を止めるための係止金具（７）、首輪本体（１）の端部を通すための端止めループ（９）、引き紐を係止するための用いられる「Ｄ環」と呼ばれる「Ｄ字」状の金具を備えている。端止めループ（９）は２つ備えられている場合もある。
【０００４】
Ｄ環（８）が係止金具（７）の近傍に配されているのは、首輪を製造する際に首輪本体（１）の皮ベルトの一端（１ａ）を少し折り曲げて内側同士を貼り合わせ、その間に係止金具（７）とＤ環（８）と端止めループ（９）とを挟み込むようにして固定しているからである。
【０００５】
首輪には上記のような実用的な目的以外にも、装飾としての目的も有る。しかしながら、バリエーションとしては色，素材や鋲の有無程度であり、意匠的な変化には乏しい。しかも首輪を頻繁に交換するのは煩わしい。
【０００６】
そこで、首輪とは別にチェーン等のアクセサリーを首に巻き付けることも考えられるが、首周りが窮屈となりペットに不快感をもたらしストレスの原因となる。
【０００７】
そのような現状に鑑みて、ペットの首周りの意匠性を高める装飾具が提案されている（実用新案登録第３０８９９４４号）。この装飾具は首輪に装飾体を着脱自在に装着できることが特徴となっている。これによれば、首輪自体を交換しなくても装飾体のみを適宜交換して装飾体のバリエーションによる変化を楽しむことができる。
【０００８】
ところで、ペットの首輪は首に沿って回ってしまうことが多いが、首輪を止める係止金具（７）や、その近傍に配されたＤ環（８）の重みにより、首輪はこれらの金具が下、つまりペットの胸元になるように回ってしまう。
【０００９】
そのため単に首輪に装飾体を装着したのでは、首輪が回って装飾体が首の側方や背中側に位置し、「間が抜けて」見えることが多い。又、単に見映えが悪いだけでなくペットが遊んだり駆け回る際に装飾体が家具に引っかかり易くなることも考えられ、更にはペットが横になって寝る際に装飾体がペットの身体と床との間に挟まって、ペットに異物感を与えてしまうことも考え得る。
【００１０】
上記の実用新案登録第３０８９９４４号では装飾体が回ってしまうことを意識しているかどうかは不明であるが、係止金具の近傍に装飾体を装着している。そのため、引き紐を付けていない場合は装飾体はペットの胸元に位置することとなる。
【００１１】
しかしながら、前述のようにＤ環（８）は係止金具（７）の近傍に配される。Ｄ環（８）は引き紐を係止する部分であり、通常はペットより飼い主の人間の方が背が高いので、散歩の際には首輪のＤ環（８）は引き紐により斜め上方に引っ張られることとなる。
【００１２】
すると、首輪が回ってＤ環（８）及びその近傍の係止金具（７）は斜め上の場所に位置することとなる。そして係止金具（７）の近傍に取り付けられた装飾体も斜め上に位置することとなり、散歩中は不格好で大変見映えが悪い。
【００１３】
【考案が解決しようとする課題】
そこで本考案は、首輪に引き紐を付けずにペットを放している時でも、首輪に引き紐を付けて散歩する際にも、装飾体がペットの胸元に位置するような意匠性に富んだ首輪を提供することを課題とする。
【００１４】
【課題を解決するための手段】
請求項１記載のペット用首輪は首輪本体（１）に装飾体（１０）が取り付けられたペット用首輪であって、装飾体取り付け部（３）の近傍に錘体（２）が配されていることを特徴とする。
【００１５】
これによれば、錘体（２）の重みにより首輪は錘体（２）が下方、つまりペットの胸元側に位置することになる。装飾体（１０）は錘体（２）の近傍に配されているため、同じくペットの胸元に位置することとなり、意匠的に優れると共にペットのストレスの原因ともなりにくい。
【００１６】
請求項２記載のペット用首輪は請求項１の首輪において、引き紐を係止するＤ環（８）から離れた位置に錘体（２）が取り付けられており、首輪のＤ環取り付け箇所と該錘体（２）の重心との間隔は、首輪使用時の首輪円周長の１／３以上であることを特徴とする。
【００１７】
散歩の際にはＤ環（８）に引き紐を付けるが、ペットと飼い主との大きさの関係でＤ環（８）は引き紐により斜め上方に引っ張られる。そのため、首輪はＤ環（８）が斜め上方になるように回転するが、錘体（２）はＤ環（８）から十分離れた位置に有り、装飾体は錘体（２）の近傍に位置する。そのため、散歩中でも装飾体をペットの胸元に位置させることができる。
【００１８】
請求項３記載のペット用首輪は請求項１，請求項２の首輪において、装飾体（１０）は装飾体取り付け部（３）に着脱可能に係止されていることを特徴とする。
【００１９】
装飾体（１０）は首輪本体に取り付けられている装飾体取り付け部（３）に装着されるが、着脱自在にすることにより装飾体（１０）を付け替えることができる。したがって、場所や状況に応じて好みの装飾体（１０）を取り付けることができる。
【００２０】
請求項４記載のペット用首輪は請求項１〜請求項３の首輪において、装飾体（１０）の取り付け位置が変更可能であることを特徴とする。
【００２１】
おなじ首輪でも装着するペットの首周りの大きさが異なれば、胸元となる位置が少し異なってくる。そのような場合でも装飾体（１０）の位置を調整することにより、装飾体（１０）がペットの胸元に位置させることができる。
【００２２】
請求項５記載のペット用首輪は請求項１〜請求項４の首輪において、錘体（２）はプレート状であることを特徴とする。
【００２３】
これによれば、首輪の内側でも外側でも、更には首輪を形成する皮の間にも錘体（２）を配することができるので違和感がない。又、プレート状の錘体（２）自体に模様や絵などの意匠を施すことや、連絡先などの情報を表示させることもできる。
【００２４】
請求項６記載のペット用首輪は請求項１〜請求項５の首輪において、錘体（２）を首輪本体（１）に固定する取付具（５）はリング状部を有し、該リング状部が装飾体取り付け部（３）となっていることを特徴とする。
【００２５】
これによれば、錘体（２）の取付具（５）が装飾体取り付け部（３）を兼ねるため、別途わざわざ装飾体取り付け部を設ける必要がない。又、本考案は装飾体（１０）を錘体（２）の近傍に配するものであるが、取付具（５）が装飾体取り付け部（３）を兼ねるので装飾体（１０）を確実に錘体（２）の近傍に配することができる。
【００２６】
【考案の実施の形態】
以下本考案を好適な実施例を用いて説明する。
【００２７】
［実施例１］
図１は本実施例の装飾体取り付け部周辺を示した図であり、図２は本実施例の全体（但し装飾体は図示せず）を示した図である。
【００２８】
首輪本体（１）の内側にはプレート（２）が配されている。プレート（２）には錘体としての役割があり、ある程度の重さが必要であるため、比較的比重が大きな材質、例えば金属製や石製のものを用いることが好ましい。
【００２９】
尚、プレートには刻印，印刷等の印字手段によりペットの名前や飼い主の連絡先，電話番号，ペットの誕生日等を表示させても良い。適宜設計事項としてプレートにトルマリン，ゲルマニウム，磁石等を配してマイナスイオン効果や磁気による血行促進効果を狙っても良い。
【００３０】
図４の（Ａ）と（Ｂ）は本実施例に使用するプレート（２）の一例を示した図である。図４（Ａ）に示すプレート（２０）は、両側の端部近傍にプレート止具を通すための長穴（２１）が設けられている。取り付けのための穴を長穴としたのは取り付けに際して位置の調整しやすいからである。
【００３１】
図中において（２２）は、プレート（２０）に刻まれたペットの名前や連絡先などの表示であり、希望によりプレート（２０）の表面に文字や絵などを表示するようにしても良い。
【００３２】
図４（Ｂ）のプレート（２３）は図４（Ａ）のプレート（２０）における長穴（２１）に代えて、両端部に切り込み（２４）を設けている点のみが異なる他の例である。
【００３３】
図７はプレート（２）の取り付け位置の一例を説明する図である。ペットに首輪を装着した状態での首輪の外周長を（Ｌ１）とする。又、Ｄ環（８）と錘体としてのプレート（２）の中心部（重心）との間の首輪の長さを（Ｌ２）とする。その場合、（Ｌ２）が（Ｌ１）の１／３以上の長さとなるようにした。
【００３４】
つまりプレート（２）の中心部はＤ環（８）から、首輪外周長の１／３以上の離れた位置に取り付けられる。尚、図７において矢印付きの円弧は首輪のどの部分の長さかがわかりやすいように示しているに過ぎず、（Ｌ１）及び（Ｌ２）は首輪の長さを示しており、矢印付きの円弧自体の長さを示すものではない。
【００３５】
このようにプレート（２）をＤ環（８）から離れた位置に取り付けるのは、散歩時にＤ環（８）が引き紐により斜め上方に引っ張られてもプレート（２）の位置がペットの胸元近くに位置するようにさせるためである。
【００３６】
プレートの取り付けは図５に示したような止め具（５），（６）を用いた。図中において止め具（５）は首輪の外側用、止め具（６）は首輪の内側用である。
【００３７】
外側の止め具（５）は鍔部（５ａ）と筒状部（５ｂ）と頭部（５ｃ）を有している。そして頭部（５ｃ）にはリング状の装飾体取り付け部（３）が形成されている。又、内側の止め具（６）は鍔部（６ａ）と筒状部（６ｂ）を有している。
【００３８】
使用する際には首輪本体（１）の内側にプレート（２）を配し、プレートに設けられている長穴（２１）又は切り込み（２４）の位置が首輪本体（１）に設けられたプレート止穴（４）の位置とを一致させる。
【００３９】
そして、両側から止め具（５）と止め具（６）とを差し入れて、首輪本体（１）及びプレート（２）を挟むようにして止め具（５）と止め具（６）とを締結させる。
【００４０】
本実施例の場合、外側止め具（５）の筒状部（５ｂ）の内側と内側止め具（６）の筒状部（６ｂ）の外周とにネジが切られており、筒状部（６ｂ）を筒状部（５ｂ）の内側空間（５ｄ）に螺入することにより、両者を一体化させることができる。尚、両者の係合手段としては本実施例様なネジ止めでもよいが、嵌め込んで止めるようにしても良い。
【００４１】
止め具（５）と止め具（６）とが係合することにより、鍔部（５ａ）と鍔部（６ａ）との間で首輪本体（１）とプレート（２）が挟み込まれ、プレート（２）が首輪本体（１）に固定される。
【００４２】
首輪本体（１）に複数のプレート止穴（４）を設けておけば、ペットの大きさなどにより錘体としてのプレート（２）の取り付け位置や装飾体の取り付け位置を微調整することができる。その場合、使わなかったプレート止穴（４）はそのまま放置しておいても良いが、飾りとして頭部（５ｃ）が鋲状の（装飾体取り付け部（３）を有さない）止め具を付けておいても良い。
【００４３】
尚、本考案に使用する止め具としては上記に限定されるものではなく、例えば本実施例のように外側と内側に分離するタイプではなく、一体成形で金属の弾性を利用してプレート止穴（４）を通して嵌め込むようなタイプのものでも良い。
【００４４】
プレート（２）を固定するのに用いた外側止め具（５）の頭部（５ｃ）には装飾体取り付け部（３）が設けられているので、そこに装飾体（１０）を取り付ける。つまり、装飾体（１０）は錘体としてのプレート（２）の近傍に取り付けられることとなる。
【００４５】
装飾体としてはどのような物を使用しても良く、飼い主の好みに応じた物を装着すればよい。本実施例では装飾体として図１に示したようなチェーン（１１）に金属製のペットのミニチュア（フィギュア）（１０）が取り付けられたものを使った。ミニチュア（１０）としては首輪をするペットと同じ種類の動物のミニチュアにするとペットとの統一感が生じて可愛さが高まる。
【００４６】
（１２）は開閉可能なリング部を有する係止具でありチェーン（１１）に取り付けられている。これを装飾体取り付け部（３）に係止させることにより装飾体（１０）を首輪本体（１）に固定する。
【００４７】
Ｄ環（８）に引き紐を付けずにペットを放している際には錘体としてのプレート（２）の重みにより首輪はプレート（２）の配された方が下側、つまりペットの胸元側になり、プレート（２）の近傍に配された装飾体もペットの胸元側に位置することとなる。
【００４８】
本実施例のように金属製や石製の装飾体を用いると、装飾体自体の重さも錘として機能するので、装飾体の位置をペットの胸元に維持する事が更に容易となる。更にはチェーン（１１）の重さも錘として機能しうる。つまり装飾体やチェーンが十分な重量を有する場合には、別途プレート等の錘体を設けなくても装飾体自体を錘体として兼用することも可能である。
【００４９】
ところで、装飾体はペットのミニチュアに限定されるものではなく、他のアクセサリーでも良く、その材質もホワイトメタル，プラチナ，１８金，ガラス，セラミック，自然石，人工石等種々の材料を利用することができる。
【００５０】
本実施例では装飾体は係止具（１２）により首輪本体（１）に着脱可能としたので、適宜取り換えて用いることができ、例えば高級なパーティーに連れて行く様な場合には装飾体としてダイヤモンド等の宝石をあしらうなどしても良い。
【００５１】
尚、装飾体は本実施例のように首輪本体（１）から着脱可能なものに限定されるものではなく、装飾体が首輪本体から外れないよう取り付けられたものも本考案の範疇に含まれる。
【００５２】
Ｄ環（８）に引き紐を付けて散歩する際にはＤ環（８）は引き紐により斜め上方に引っ張られるが、装飾体はＤ環（８）から十分離れた位置に取り付けられているため装飾体はペットの胸元側に位置することとなる。つまり、ペットを放しているときでも、首輪に引き紐を付けて散歩するときでも装飾体がペットの胸元側に位置することとなり、常に見映えが良く、ペットが遊んだり走ったりしても装飾体が周囲に引っかかるようなおそれは殆ど無い。
【００５３】
尚、通常首輪のＤ環（８）に引き紐を付けて散歩する際には、ペットは主として飼い主の右側を歩かせることが多いが、左利きであるような理由で主に左側を歩かせる飼い主もいる。そのため、Ｄ環（８）が引き紐に引っ張られる方向を考慮し、Ｄ環（８）がその方向に引っ張られた状態で装飾体（１０）がペットの胸元に位置するように装着するとよい。つまり、主に飼い主の右側を歩かせる場合と左側を歩かせる場合とでは首輪を巻く方向が反対になる。
【００５４】
［実施例２］
実施例ではプレート（２）を首輪の内周側に配したが、本実施例では首輪の外周側に配した。図３は本実施例を示した図である。プレート（２）が首輪本体（１）の外周側に取り付けられている以外は実施例１と同様である。
【００５５】
首輪の外周側に配しているため、ペットに首輪を装着した状態でもプレート（２）を見ることができる。したがって、プレート自体を意匠の一部として利用し、プレート表面にレーザー加工，けがき，エッチング，塗装，刻印等により模様，絵や文字などを表示させれば、それらの表示を常に見ることができる。
【００５６】
このようにプレート（２）に意匠を施す場合は、プレート（２）を真鍮製とすると加工が容易であるが、真鍮は比較的比重が軽いので比重の大きな金属と組み合わせて用いてもよい。例えば、意匠を施した真鍮プレートが外側層、比重の大きな金属が内側層となるような層構造のプレートを用いる様なことが考えられる。
【００５７】
又、プレート（２）の意匠性を高めるために、プレートの素材として１８金，プラチナ等の貴金属を用いるようにすれば、高級感が高まり、装飾体と相まって飼い主に満足感を与えることができる。
【００５８】
更に、プレート（２）が直接ペットの首に接触しないため、金属に過敏で金属アレルギーよる肌の炎症を起こしやすいペット、特に首周りの毛足の短いペット用として用いるのにも適している。
【００５９】
［実施例３］（図示せず）
尚、実施例１と実施例２の構成を共に採用し、首輪の内周側と外周側のいずれにもプレートを配した。
【００６０】
本実施例の場合、実施例１及び実施例２と同様の効果が得られると共に、プレートが２枚になるため、錘体としてのプレートの重さを確保するのが容易となる。
【００６１】
［実施例４］（図示せず）
首輪のベルトを２層以上の層構造とし、その層の間にサンドイッチ状に錘体となるプレートを配した。錘体としてのプレートが外部から見えず、またプレートに外気や水分等が直接触れないため、鉄製のプレートであっても錆びにくい。
【００６２】
本実施例による錘体の配置も上記の各実施例と組み合わせて用いることができる。
【００６３】
［実施例６］
首輪を止める係止金具（７），Ｄ環（８），端止めループ（９）として軽量な材料を使用した。軽量な材料としては例えば金属ではチタン等が使用できる。又、金属ではなくエンジニアリングプラスチックのような合成樹脂成形品を用いることも考えられる。
【００６４】
係止金具（７）やＤ環（８）には力がかかるので、ある程度の強度が必要であり、むやみに軽量化することは好ましくないが、ペットの種類によっては力も弱いので、係止具やＤ環の材料や太さや形状を工夫して支障のない範囲で軽量なものとすることができる。
【００６５】
係止金具（７）やＤ環（８）を軽量化することにより、バランスが更に良くなって首輪が回りにくくなるので、装飾体（１０）をペットの胸元の位置に維持しやすくなる。
【００６６】
【考案の効果】
以上述べたように本考案により、首輪に引き紐を付けずにペットを放している時でも、首輪に引き紐を付けて散歩する際にも、装飾体がペットの胸元に位置するような意匠性に富んだ首輪を提供することができた。
【図面の簡単な説明】
【図１】実施例１の装飾体取り付け部周辺を示した図。
【図２】実施例１を示した図（装飾体の図示は略）。
【図３】実施例２示した図（装飾体の図示は略）。
【図４】プレートの一例を示した図。
【図５】プレートの一例を示した図。
【図６】一般的な首輪の構造を説明する図。
【図７】錘体の取り付け位置を説明する図。
【符号の説明】
（１）　　首輪本体
（１ａ）　首輪の端部
（２）　　錘体（プレート）
（３）　　装飾体取り付け部
（４）　　プレート止穴
（５）　　プレート止具（外側）
（５ｃ）　プレート止具（外側）の頭部
（６）　　プレート止具（内側）
（７）　　係止金具
（８）　　Ｄ環
（９）　　端止めループ
（１０）　装飾体（ミニチュア）
（１１）　装飾体のチェーン
（１２）　装飾体のフック
（２０），（２３）　プレートの一例
（２１）　長穴
（２２）　プレートに刻まれた表示
（２４）　切り込み
【図１】
0003099981.tif 000003
【図２】
0003099981.tif 000004
【図３】
0003099981.tif 000005
【図４】
0003099981.tif 000006
【図５】
0003099981.tif 000007
【図６】
0003099981.tif 000008
【図７】
0003099981.tif 000009